(57)【特許請求の範囲】
【請求項１】
相互に実継ぎ接合されるパネル基材を有するパネル本体と、このパネル本体に内蔵された電気ヒータと、前記電気ヒータに結線された状態で前記パネル基材を横断するように前記パネル本体内に配設された電源線と、前記電源線の両端部にそれぞれ接続され、前記パネル基材の実部分にそれぞれ形成された収容凹部に収容される一対のコネクタとを備えた床暖房パネルにおいて、
一方の前記コネクタが収容される前記収容凹部は、その奥行きが、収容される前記コネクタの長さと略同一に設定されていると共に、その幅が、収容される前記コネクタの幅より大きく設定されており、
一方の前記コネクタは、前記収容凹部内で前記パネル基材の実部分に沿ってスライド自在に前記パネル基材に取り付けられており、
一方の前記コネクタのスライド長さが、実寸法よりも大きく設定されていることを特徴とする床暖房パネル。
【請求項２】
他方の前記コネクタが、前記パネル基材に固定設置されている請求項１に記載の床暖房パネル。
【発明の詳細な説明】
【０００１】
【発明の属する技術分野】
この発明は、パネル本体に電気ヒータが内蔵された床仕上材一体型の床暖房パネルに関する。
【０００２】
【従来の技術及び発明が解決しようとする課題】
床仕上材として使用される床仕上材一体型の床暖房パネルとしては、図６に示すようなものがある。この床暖房パネル５０ａ、５０ｂは、上面に突板等の表面化粧材が貼着された５プライ合板等からなるパネル基材５１及びこのパネル基材５１の裏面側に貼着される裏板（図示せず）からなるパネル本体と、パネル基材５１の裏面に所定のヒータパターンに沿って形成されたヒータ収容溝（図示せず）に収容される線ヒータ５２と、この線ヒータ５２に結線された状態で、パネル本体をその短手方向に横断するように、パネル基材５１の裏面に形成された電源線収容溝５１ａに収容される電源線５３と、この電源線５３の両端部にそれぞれ接続されたコネクタ５４、５５とを備えており、コネクタ５４、５５はパネル基材５１の雄実部５１Ａ及び雌実部５１Ｂに形成された収容凹部５１ｂ、５１ｃにそれぞれ収容された状態で固定設置されている。なお、上述した２種類の床暖房パネル５０ａ、５０ｂは、コネクタ５４、５５が接続された電源線５３の配設位置が異なる以外は同一の構成になっている。
【０００３】
以上のように構成された床暖房パネル５０ａ、５０ｂを用いて床暖房フロアを施工する場合は、図７に示すように、床暖房パネル５０ａの一方のコネクタ５４に、隣接する床暖房パネル５０ｂの他方のコネクタ５５を接続しながら、しかも、パネル基材５１の雄実部５１Ａを隣接するパネル基材５１の雌実部５１Ｂに嵌め込むようにして敷設していく必要がある。
【０００４】
しかしながら、上述したように、各床暖房パネル５０ａ、５０ｂにそれぞれ設けられたコネクタ５４、５５は、パネル基材５１の長辺に形成された実部分にそれぞれ固定設置されているので、コネクタ５４、５５の接続作業と、短手方向及び長手方向の双方に隣接する床暖房パネル５０ａ、５０ｂの実部分の接合作業とを同時に行わなければならず、極めて作業性が悪いといった問題がある。
【０００５】
また、このようにコネクタ５４、５５がパネル基材５１に固定設置された床暖房パネルでは、床暖房パネル間で、パネル基材５１の外形寸法が微妙に異なったり、パネル基材５１に対するコネクタ５４、５５の設置位置が微妙にずれた場合には、床暖房パネルを敷設できなかったり、隣接する床暖房パネル間に隙間が形成されたりするといった問題もある。
【０００６】
そこで、この発明の課題は、敷設作業性に優れ、しかも、多少の寸法誤差があっても、床暖房フロアを綺麗に仕上げることのできる床暖房パネルを提供することにある。
【０００７】
【課題を解決するための手段及びその効果】
上記の課題を解決するため、請求項１に係る発明は、相互に実継ぎ接合されるパネル基材を有するパネル本体と、このパネル本体に内蔵された電気ヒータと、前記電気ヒータに結線された状態で前記パネル基材を横断するように前記パネル本体内に配設された電源線と、前記電源線の両端部にそれぞれ接続され、前記パネル基材の実部分にそれぞれ形成された収容凹部に収容される一対のコネクタとを備えた床暖房パネルにおいて、一方の前記コネクタが収容される前記収容凹部は、その奥行きが、収容される前記コネクタの長さと略同一に設定されていると共に、その幅が、収容される前記コネクタの幅より大きく設定されており、一方の前記コネクタは、前記収容凹部内で前記パネル基材の実部分に沿ってスライド自在に前記パネル基材に取り付けられており、一方の前記コネクタのスライド長さが、実寸法よりも大きく設定されていることを特徴とする床暖房パネルを提供するものである。
【０００８】
以上のように構成された床暖房パネルでは、隣接する床暖房パネル間でコネクタ同士を接続しながら、コネクタが設置されている辺の実同士を接合した後に、敷設しようとする床暖房パネルをスライドさせることで、コネクタの設置されていない辺の実同士を容易かつ確実に接合することができるので、コネクタ間の接続と、２方向の実部分の接合とを同時に行わなければならない従来の床暖房パネルに比べて、床暖房パネルの敷設作業性が向上すると共に、パネル基材の寸法精度が多少悪くても床暖房パネル間に隙間ができることもなく、床暖房フロアを綺麗に仕上げることができるといった効果がある。
【０００９】
特に、この床暖房パネルは、一方のコネクタのスライド長さが、実寸法よりも大きく設定されているので、方向の異なる実の接合作業を完全に個別に行うことができるので、床暖房パネルの敷設作業性がさらに向上する。
【００１０】
また、請求項２に係る発明の床暖房パネルのように、他方の前記コネクタを、前記パネル基材に固定設置しておくと、コネクタの接続位置が定まるので、コネクタ同士を接続しやすくなるという利点がある。
【００１１】
【発明の実施の形態】
以下、実施の形態について図面を参照して説明する。図１及び図２に示すように、この床暖房パネル１ａ、１ｂは、コンクリートスラブの上に直接敷設される直貼工法用の床暖房パネルであり、雁行形状のパネル本体１１と、このパネル本体１１に内蔵される、線ヒータ１５及び両端部にコネクタ１７、１８が接続された電源線１６とを備えている。
【００１２】
各床暖房パネル１ａ、１ｂのパネル本体１１は、図２に示すように、表面に突板等の表面化粧材１２が貼着された５プライ合板等の木質板からなるパネル基材１３と、多数のポリエステル繊維を交絡させたクッション性の良好な緩衝材１４とから構成されており、この緩衝材１４は、線ヒータ１５をパネル基材１３との間に挟み込むようにして、パネル基材１３の裏面に塗布された接着剤によってパネル基材１３の裏面に貼着されている。
【００１３】
前記パネル基材１３は、図１（ａ）、（ｂ）に示すように、４枚の基材ピースを長手方向にずらしながら雁行状に接続したものであり、隣接する床暖房パネル間で実継ぎ接合するために、その側縁及び端縁には雄実部１３Ａと雌実部１３Ｂとがそれぞれ形成されている。また、このパネル基材１３の裏面には、短手方向に延びる多数の切溝１３ａ（図１では省略してある）と、長手方向の中央部を短手方向に横断する、電源線１６を収容するための電源線収容溝１３ｂとを備えている。
【００１４】
前記線ヒータ１５は、図１（ａ）、（ｂ）に示すように、パネル基材１３を略均等に加熱するように、所定のヒータパターンに沿って配線されており、その両端部が、２本の電源線１６に、図示しないリード線を介してそれぞれ接続されている。
【００１５】
前記電源線１６の両端部に接続されたコネクタ１７、１８は、図３に示すように、パネル基材１３の雄実部１３Ａにまで張りだすように形成された収容凹部１３ｃと、雌実部１３Ｂにまで張り出すように形成された収容凹部１３ｄにそれぞれ収容されており、深い収容凹部１３ｃ、１３ｄと浅い電源線収容溝１３ｂとの間にはコネクタ１７、１８が当接する段部が形成されている。
【００１６】
前記収容凹部１３ｃは、コネクタ１７の外形と略同一形状を有しており、この収容凹部１３ｃにコネクタ１７を嵌め込むことによって、コネクタ１７はパネル基材１３に位置決めされるようになっている。一方、前記収容凹部１３ｄは、コネクタ１８の長さと略同一の奥行きを有しているが、その幅は、コネクタ１８の幅よりも大きく設定されているので、この収容凹部１３ｄに収容されたコネクタ１８は雌実部１３Ｂに沿って、収容凹部１３ｄの幅方向にスライドできるようになっている。なお、コネクタ１８がスライドできる長さは、パネル基材１３に形成された実の寸法よりも大きく、具体的には、１０〜３０ｍｍ程度に設定されている。
【００１７】
また、初期状態においては、図３に示すように、コネクタ１８がコネクタ１７に対して位置ずれした状態で収容凹部１３ｄ内に配置されており、これによって、２本の電源線１６は、同図に実線で示すように、電源線収容溝１３ｂ内においてパネル基材１３を斜めに横断するような状態になっている。
【００１８】
以上のように構成された２種類の床暖房パネル１ａ、１ｂを用いて、床暖房フロアを施工する場合について以下に説明する。例えば、図４に示すように、既に敷設された３枚の床暖房パネル１ａ、１ｂに対して、新たな床暖房パネル１ｂを敷設しようとする場合は、まず、図５（ａ）に示すように、その床暖房パネル１ｂの雌実側のコネクタ１８を、既に敷設されている床暖房パネル１ａの雄実側のコネクタ１７に接続すると同時に、両コネクタ１７、１８が設けられている雌実部１３Ｂと雄実部１３Ａとを相互に接合する（同図（ｂ）参照）。そして、敷設しようとする床暖房パネル１ｂを、既に敷設されている床暖房パネル１ｂ側にスライドさせることによって、床暖房パネル１ｂ間で雌実部１３Ｂと雄実部１３Ａとを接合することで床暖房パネル１ｂが敷設される。このとき、敷設しようとしている床暖房パネル１ｂのコネクタ１８は、同図（ｃ）に示すように、収容凹部１３ｄ内をスライドして、図３に一点鎖線で示すように、反対側のコネクタ１７と対向する位置まで移動する。
【００１９】
以上のように、この床暖房パネル１ａ、１ｂでは、雌実側のコネクタ１８を実寸法よりも大きくスライドすることができるように、パネル基材１３に取り付けたため、コネクタ１７、１８が設けられている実部分の接合とコネクタ１７、１８の接続とを行った後、コネクタ１７、１８が接合された状態で、コネクタ１７、１８が設けられていない実部分の接合を個別に行うことができるので、異なる２方向の実の接合作業とコネクタの接続作業とを同時に行わなければならない従来の床暖房パネルに比べて敷設作業性が格段に向上する。
【００２０】
また、他方のコネクタ１８がパネル基材１３に対してスライドすることにより、パネル基材１３に対するコネクタ１７の設置位置が微妙にずれていたり、パネル基材１３の寸法精度が多少悪くても、床暖房パネル１ａ、１ｂが敷設できなかったり、隣接する床暖房パネル１ｂ間に隙間が形成されるといったことがなく、床暖房フロアを確実にしかも綺麗に施工することができる。
【００２１】
また、この床暖房パネル１ａ、１ｂでは、雄実側のコネクタ１７がパネル基材１３に固定設置されているため、既に敷設された床暖房パネル１ａ、１ｂのコネクタ１７に、これから敷設しようとする床暖房パネル１ａ、１ｂのコネクタ１８を接続するようにしておくと、コネクタの接続位置が常に固定されることになるので、コネクタ１７に対するコネクタ１８の接続作業がやりやすくなるといった利点もある。
【００２２】
なお、この実施形態は、電源線１６の配設位置の異なる２種類の床暖房パネル１ａ、１ｂを用いて床暖房フロアを施工する場合について説明したが、本発明は、こういったタイプの床暖房パネルに限定されるものではなく、１種類の床暖房パネルによって床暖房フロアを施工するものについても適用することができる。
【００２３】
また、この実施形態では、雌実側のコネクタ１８をパネル基材１３に対してスライド自在に取り付けているが、雄実側のコネクタ１７をパネル基材１３に対してスライド自在に取り付けることも可能である。
【００２４】
また、この実施形態では、一方のコネクタ１７をパネル基材１３に対して固定設置しているが、双方のコネクタ１７、１８をパネル基材１３に対してスライド自在に取り付けることも可能である。但し、上述したように、一方のコネクタをパネル基材に対して固定設置しておくことによって、コネクタ同士を接続しやすくなるので、一方のコネクタはパネル基材に対して固定設置しておくほうが望ましい。
【００２５】
また、この実施形態では、パネル基材１３の裏面側に緩衝材１４が貼着された直貼りタイプの床暖房パネルについて説明したが、本発明は、こういった直貼りタイプに限定されるものではなく、パネル基材の裏面側に裏板等が貼着された捨貼りタイプの床暖房パネルについても適用することが可能である。
【００２６】
また、この実施形態では、発熱体として線ヒータ１５を使用しているが、例えば、面状発熱体等の種々の電気ヒータを使用することができる。また、パネル基材１３についても、雁行タイプを使用しているが、こういったものに限定されるものではなく、長方形のパネル基材を使用することも可能である。
【図面の簡単な説明】
【図１】この発明にかかる一実施形態である床暖房パネルの緩衝材を取り除いた状態を示す平面図である。
【図２】同上の床暖房パネルを示す断面図である。
【図３】同上の床暖房パネルにおけるコネクタ部分を示す拡大平面図である。
【図４】同上の床暖房パネルを用いて床暖房フロアを施工する場合の床暖房パネルの敷設方法を説明するための説明図である。
【図５】同上の床暖房パネルを用いて床暖房フロアを施工する場合のコネクタ部分の動きを説明するための説明図である。
【図６】従来の床暖房パネルを示す概略構成図である。
【図７】同上の床暖房パネルを用いて床暖房フロアを施工する場合の床暖房パネルの敷設方法を説明するための説明図である。
【符号の説明】
１ａ、１ｂ  床暖房パネル
１１  パネル本体
１３  パネル基材
１３Ａ  雄実部
１３Ｂ  雌実部
１３ｃ、１３ｄ  収容凹部
１５  線ヒータ
１６  電源線
１７、１８  コネクタ
【図１】
0004010704.tif 000002
【図２】
0004010704.tif 000003
【図３】
0004010704.tif 000004
【図４】
0004010704.tif 000005
【図５】
0004010704.tif 000006
【図６】
0004010704.tif 000007
【図７】
0004010704.tif 000008